(57)【要約】【課題】撮影時の固定枠を沈胴時にレンズ長短縮方向に移動させて更なるレンズ長短縮を実現した簡単な構成のレンズ装置及びそのレンズ装置を搭載したカメラを提供する。【解決手段】カム筒５３の外周面に３本の１群ユニット用カム溝５４が形成され、カム筒５３の内周面右半面に２群カムフォロア挿入溝５５−４を備えた２群ユニット用カム溝５５が形成され、左半面に３群ユニット用カム溝５６と４群ユニット用カム溝５７が形成されている。絞り・シャッタカム溝５９は広角撮影位置５９−２から望遠撮影位置５９−３まで直線に、２群カムフォロア挿入溝５５−４と交差する沈胴位置５９−１までの溝は幅広に形成されている。絞り・シャッタカムフォロア７５は、遊通部５９−５に在って２群カムフォロア挿入溝５５−４を横切るときは、遊通部５９−５からの規制を受けることなく、押し螺旋バネ７６により押し出されるか、または２群枠６７の後方突設部６７−１により押し込まれることによって遊通部５９−５を移動する。【選択図】      図２
2005301021.tif 000002
【特許請求の範囲】
【請求項１】
撮影光学系に含まれる第１及び第２の光学部材と、
使用される第１及び第２領域に渡って前記第１及び第２の光学部材の光軸方向位置を前記第１及び第２の光学部材のカム係合部を介して規定するカム溝を有するカム部材と、
前記第２の光学部材を前記第１の光学部材に付勢する付勢部材と、
を備え、
前記第１の光学部材は、前記第１及び第２領域で前記カム溝により前記カム係合部を介して位置を規定され、
前記第２の光学部材は、前記第１領域では前記付勢部材の付勢力によって前記第２の光学部材により位置に規定され、前記第２領域では前記カム溝により位置を規定されるべく前記カム係合部が前記カム溝に係合する、
ことを特徴とするレンズ装置。
【請求項２】
前記カム溝は、前記第１の光学部材用カム溝と前記第２の光学部材用カム溝とを備え、前記第２の光学部材用カム溝は、前記第２領域において前記第２の光学部材のカム係合部が係合する係合部と、該係合部に連続して形成され前記第１領域の少なくとも一部において前記第２の光学部材のカム係合部が係合を伴わずに往復する遊通部と、から成ることを特徴とする請求項１記載のレンズ装置。
【請求項３】
前記遊通部は、他のカム溝の一部と交差するようにカム部材の表面に形成される、ことを特徴とする請求項２記載のレンズ装置。
【請求項４】
前記第１領域は少なくとも非撮影領域の一部であり、前記第２領域は撮影領域である、ことを特徴とする請求項１、２又は３記載のレンズ装置。
【請求項５】
前記第２の光学部材は、前記撮影領域では、他の光学部材の移動量に拘わり無く一定位置に規定されることを特徴とする請求項４記載のレンズ装置。
【請求項６】
前記第２の光学部材は、絞り又はシャッター部材であることを特徴とする請求項５記載のレンズ装置。
【請求項７】
前記第２の光学部材は、前記第１の光学部材と他の光学部材の間に配置され、前記沈胴領域から前記撮影領域への移動において、前記第１、第２の光学部材  及び他の光学部材いずれもが、当該撮影レンズ装置に対する被写体方向に移動する、
ことを特徴とする請求項６記載のレンズ装置。
【請求項８】
前記第２の光学部材は、前記第２領域の少なくとも一部では前記付勢部材による付勢から解除されることを特徴とする請求項１記載のレンズ装置。
【請求項９】
前記付勢部材は、前記第２の光学部材の光軸方向への移動を案内する案内部材に沿って備えられる
ことを特徴とする請求項８記載のレンズ装置。
【請求項１０】
請求項１〜９いずれかに記載のレンズ装置には、撮影用の撮像素子を備えられたことを特徴とするレンズ装置。
【請求項１１】
光学部材の光軸方向位置を規定するカム溝を有するカム部材と、
前記カム部材の前記カム溝によって非撮影範囲と撮影範囲に渡って位置を規定される第１の光学部材と、
前記非撮影範囲では前記第１の光学部材に当接し前記第１の光学部材の位置に応じて位置が規定され、前記撮影範囲では前記カム部材のカム溝に応じて位置が規制される第２の光学部材と、
該第２の光学部材を前記第１の光学部材に当接させるよう付勢する付勢部材と、
を備えたことを特徴とするレンズ装置。
【請求項１２】
請求項１〜１１のいずれかに記載のレンズ装置を、撮影用のレンズ装置として備えたことを特徴とするカメラ。
【発明の詳細な説明】
【技術分野】
【０００１】
撮影レンズ装置、特にカメラに搭載される沈胴式撮影レンズ装置に関する。
【背景技術】
【０００２】
従来、銀塩フイルムを使用して撮影を行なうー般用の小型カメラや、ＣＣＤ(charge coupled device) を内蔵して撮影を行うデジタルカメラは、通常、携帯して使用されるのが普通である。したがって、その携帯性を向上させるためにカメラの小型化が設計上の重要点となる。
【０００３】
カメラには、焦点が浅い１組のレンズ群のみを用いてレンズ群の移動を行わずに遠距離から近距離までを撮影できる便利だが低性能なカメラと、レンズ群が複数組に分けて各組がそれぞれ独立の鏡枠に保持されて構成され、広角撮影と望遠撮影などの撮影条件に応じて焦点距離を変更するために各レンズ群が光軸方向に移動できるやや構成が大型化だが高性能なカメラとがある。
【０００４】
特に上記の望遠撮影機能付きの高成能なカメラ等では、撮影時における各レンズ群間の間隔が移動によって所定の間隔に設定されることが、所望の光学特性を得るために必要なことである。ところが、そのように撮影時に各レンズ群間の間隔を所定の間隔に設定するためには、その構成上、複数組のレンズ群をそれぞれ保持する鏡枠を移動可能に収容する鏡筒などからなるレンズ装置の一部がカメラ本体から前面側に突出した形状となる。
【０００５】
ところで、カメラを使用しない携帯時等では、各レンズ群を撮影時に必要な所定間隔に設定しておく必要はないから、携帯に便利なように、各レンズ群の間隔をできるだけ詰めた位置に移動させてレンズ装置の光軸方向の長さを短縮化させ、カメラ全体の厚さを薄くするいわゆる沈胴型のレンズ装置が色々提案されている。特に高い望遠ズーム比を有するレンズ装置では、撮影時の前方突出度が大きいから、上記のように沈胴させることによる短縮化の効果が高くなる。
【０００６】
通常、上記のようなズーム撮影レンズ装置では、ズーム比設定時やフォーカス調整時には、各レンズ群を所定位置に移動させる必要があり、この移動には例えばカム筒を用いて各レンズ群を移動させるものがある。このようなカム筒を用いるズーム撮影レンズ装置の場合、そのカム筒に、撮影時のレンズ移動用のカム溝に続けて沈胴移動用のカム溝を追加形成させ、各レンズ群を沈胴位置へ移動させることが行われる。このようにすれば、沈胴移動のための新たな移動装置が不要になって、沈胴効果と共にカメラの小型化が促進される。
【０００７】
一方、このようなズーム撮影レンズ装置においても、例えば絞りやシャッター部材は、撮影レンズ群とは異なり、その光軸方向の位置は光学的には固定で良い場合が多い。したがって、沈胴時だけ絞りやシャッター部材を移動させるために専用の移動装置を追加するとレンズ装置が大きくなったりカム部の設計が難しくなったりするから、絞りやシャッター部材については沈胴時も固定したままにしたものが多かった。
【０００８】
図１０(a) は、そのような従来の絞りとシャッター部材については沈胴時も固定したままの構成のズーム撮影レンズ装置の撮影時の状態を示す断面図であり、同図(b) は、その沈胴時の状態を示す断面図、同図(c) は、そのカム筒を示す斜視図である。
同図(a) に示すように、鏡筒１は、固定枠２、カム筒３、第１群・第２群レンズ支持筒４からなる。
【０００９】
固定枠２には、中央にＣＣＤ(charge coupled device）５が保持され、上部には中心軸に平行に内方向に延在する第３群・第４群レンズ主吊軸６が固定して支持され、最下部よりやや側面方向に片寄って図示を省略した第３群・第４群レンズ副吊軸兼絞りシャッタ回動禁止軸が固定して支持されている。また、最下端部には駆動ギア７を備えたモータ８が保持されている。
【００１０】
カム筒３は、例えば同図(c) に示すように、外周面には第１群レンズ用カム溝１１が形成され、内周面には第２群レンズ用カム溝１２、第３群レンズ用カム溝１３、及び第４群レンズ用カム溝１４が形成されている。また後端部外周面にはギア１５が形成されている。ギア１５は、同図(a) に示す駆動ギア７に噛合し、カム筒３全体がモータ８により回転駆動される。
【００１１】
第１群・第２群レンズ支持筒４は、同図(a) に示すように、内部に形成された第１群レンズ支持部１６に第１群レンズ１７を支持し、第１群レンズ支持部１６の下部から中心軸に平行に内方向に延在する第２群レンズ主吊軸１８を固定して支持している。この第１群・第２群レンズ支持筒４は、上記第２群レンズ主吊軸１８に対向する内周面端部に突設されたカムフォロア１９を備え、このカムフォロア１９が同図(c) に示す上記カム筒３の外周面のカム溝１１に係合している。
【００１２】
また、同図(a) に示す上記の第２群レンズ主吊軸１８には、第２群レンズ２１を保持する第２群レンズ保持部材２２の軸受部２３が滑動自在に外嵌し、その第２群レンズ保持部材２２の上部には、図では定かに見えないが突起部が形成され、その突起部が第１群・第２群レンズ支持筒４の内周面上部に形成されている溝に滑動自在に係合して第２群レンズ主吊軸１８に対する回動を禁止されている。
【００１３】
上記第２群レンズ保持部材２２の軸受部２３の後端下部にはカムフォロア２４が形成されており、このカムフォロア２４が同図(c) に示すカム筒３の内周面のカム溝１２に係合している。
また、前述の固定枠２の第３群・第４群レンズ主吊軸６には、第３群レンズ２５を保持する第３群レンズ保持部材２６の二股に分かれた軸受２７が外嵌しており、この二股に分かれた軸受２７の一方の上部に形成されているカムフォロア２８が同図(c) に示すカム筒３の内周面のカム溝１３に係合している。
【００１４】
また、上記第３群・第４群レンズ主吊軸６には、第４群レンズ２９を保持する第４群レンズ保持部材３１のこれも二股に分かれた軸受３２が上記軸受２７の二股と交錯しながら外嵌しており、この二股に分かれた軸受３２の一方の上部に形成されているカムフォロア３３が同図(c) に示すカム筒３の内周面のカム溝１４に係合している。
【００１５】
また、上記第３群・第４群レンズ主吊軸６の突端と、前述した不図示の第３群・第４群レンズ副吊軸兼絞りシャッタ回動禁止軸の突端に、絞り・シャッタ３４が位置固定されている。
同図(a) に示す撮影状態時には、第２群レンズ２１は、撮影者による望遠ズーム撮影のスイッチ操作により回転駆動されるカム筒３の回転に応じて、第１群レンズ１７と絞り・シャッタ３４との間を前後に移動し、第３群レンズ２５と第４群レンズも、上記カム筒３の回転に応じて、それぞれ絞り・シャッタ３４とＣＣＤ５との間を前後に移動する。
【００１６】
そして、撮影が終了された携帯時には、撮影者による撮影終了ボタンの操作により回転駆動されるカム筒３の回転に応じて、同図(b) に示すように沈胴状態に短縮される。
図１１は、図１０(c) に示すカム筒３の円周側面を同図(c) のＡ−Ａ´で示す中心軸に平行な直線に沿って切断して内周面を示す展開図である。尚、この図１１に示す展開図の図面向う側の面（カム筒３の外周面）に形成されている第１群レンズ用カム溝１１は、同図で見えない。
【００１７】
図１１には、第２群レンズ用カム溝１２、第３群レンズ用カム溝１３、第４群レンズ用カム溝１４、及び鏡筒１組み立て時のカムフォロア挿入溝３５と３６を示している。同図に示すように、第２群レンズ用カム溝１２は、カム筒３の全面（３６０°円周面）の１／２面（１８０°円周面）に、沈胴位置１２−１、広角撮影位置１２−２、及び望遠撮影位置１２−３からなる山形の溝に形成されている。
【００１８】
そして、このカム筒３は、鏡筒１全体を出来るだけ短く構成するために、限界まで短縮された形状になっており、そのため上記の山形は、山の裾野に相当する沈胴位置１２−１と望遠撮影位置１２−３がカム筒３の後端部に近接して配置され、山の頂上に相当する広角撮影位置１２−２はカム筒３の前端部に近接して配置されている。つまり前後の移動領域を全部使用している形状となっている。したがって、他のカム溝をこの同一領域に配置すると、カム溝が必ずいずれかの位置で交差するため、この同一領域に他のカム溝を配置することは考えない。
【００１９】
また、第２群レンズ用カム溝１２で第２群レンズ２１を移動させる際の駆動負荷を極力小さく抑えるために、山形の傾斜を緩やかにする必要がある、つまり山の裾野を広げる必要がある。そして、そのためには第２群レンズ用カム溝１２を配置する領域の回転角度を極力大きくとる必要がある。
【００２０】
他方、カム筒３の同一回転角度内で、第２群レンズ２１と共に他のレンズ群を移動させるためには、第２群レンズ用カム溝１２の配置領域の回転角度と他のカム溝の配置領域の回転角度が同一でなければならない。
このような２つの理由から、カム筒３の内周面全ての領域つまり３６０°領域を使用することとし、その領域を２分して、先ず、一方の１８０°領域に第２群レンズ用カム溝１２を配置し、そして、残る他方の１８０°領域に、前後の移動量が小さい第３群レンズ用カム溝１３と第４群レンズ用カム溝１４をほぼ平行した形で配置するように構成されている。
【００２１】
この構成において、カム筒３は、１８０°の範囲で順逆両方向に回転する。カム筒３の順方向の１８０°の回転では、第２群レンズ２１は、沈胴位置１２−１から広角撮影位置１２−２までの最初のおよそ９０°の回転時における傾斜部で前方に押し出される（このとき第１群レンズ１７は、カム筒３の外周面のカム溝１１により同時に前方に押し出される）。
【００２２】
そして、カム筒３の残り９０°の回転で、第２群レンズ２１は、広角撮影位置１２−２から望遠撮影位置１２−３までの傾斜部でズーム位置を設定される（この間、第１群レンズ１７は上記の前方に押し出された位置に固定される）。
また、第３群レンズ用カム溝１３及び第４群レンズ用カム溝１４には、それぞれ沈胴位置１３−１及び１４−１から広角撮影位置１３−２及び１４−２までの平行する直線部と、その広角撮影位置１３−２及び１４−２から望遠撮影位置１３−３及び１４−３までの直線をやや屈曲させた形状からなるそれぞれ異なる形状の屈曲部が形成されている。
【００２３】
これにより、第３群レンズ２５（つまり第３群レンズ保持部材２６のカムフォロア２８）と第４群レンズ２９（つまり第４群レンズ保持部材３１のカムフォロア３３）とは、図１０(a) に示したように同一の吊軸（第３群・第４群レンズ主吊軸６）に前後して支持され、望遠ズーム撮影時にはそれぞれ個別に前後移動して、ズーム位置に応じた位置に設定され、沈胴時から広角撮影時までは、絞り・シャッタが固定であるので、その後方の第３群・第４群レンズは沈胴の必要がなく、したがって広角撮影時と同一の一定位置に固定される。
【００２４】
ところで、上記の図１１に示す沈胴位置１３−１及び１４−１を形成されている第３群レンズ用カム溝１３及び第４群レンズ用カム溝１４の構成により位置決めされる図１０(b) に示した沈胴時において、鏡筒１の内部には、固定枠に保持されている絞り・シャッタ３４の後方に大きな空間部ａ、ｂ、ｃが形成されている。これでは鏡筒１の短縮度に未だ余裕が残されていることになり、第１、第２群レンズが沈胴したとはいえ、全体としては沈胴が十分に実現されていないことになる。
【００２５】
そして、近年のように、カメラ全体の薄型化という市場の要望が強くなってくると、レンズ装置の沈胴時の更なる短縮化のために、従来は撮影時も沈胴時も共に固定されていた絞り・シャッタ固定枠についても沈胴時に沈胴移動させる構造が要求される。
図１２は、そのような絞り・シャッタ固定枠（以下の説明では、撮影時つまり広角、ズーム、望遠の撮影で他の光学系つまり第２群〜第４群までのレンズ群が移動することに対して、常に一定位置に位置固定されている意味で固定枠と表現する）を沈胴時に移動させるためのカム筒内周面のカム溝の構成例を示す図である。
【００２６】
前述したように、図の右半面の第２群レンズ用カム溝１２の配置領域には他のカム溝を配置できないが、左半面の第３群、第４群のレンズ用カム溝１３、１４は、第３群、第４群のレンズの移動量が小さいため溝の形状がほぼ水平に寝ており、それらの上方には、絞り・シャッタ固定枠を移動させるためのカム溝を形成する余地がある。
【００２７】
そして、図１２に示すように、第３群、第４群のレンズ用カム溝１３、１４の上方に、絞り・シャッタ固定枠を移動させるための絞り・シャッタ用カム溝３７を形成し、広角撮影位置３７−２と望遠撮影位置３７−３までは、絞り・シャッタを位置固定するために水平に形成し、広角撮影位置３７−２から沈胴位置３７−１までを、絞り・シャッタを沈胴移動させるためにカム筒３の後端方向へ傾斜させる。
【００２８】
また、絞り・シャッタが沈胴移動するようになったので、第３群、第４群のレンズも沈胴移動させて図１０(b) に示した空間部ｂ及びｃを短縮するために、これらの第３群、第４群のレンズ用カム溝１３、１４の広角撮影位置１３−２、１４−２から沈胴位置１３−１、１４−１までを、カム筒３の後端方向へ傾斜させる。このようにカム筒３を構成すれば図１０(b) に示した空間部ａ、ｂ及びｃがそれぞれ短縮され、空間の無駄が解消され、鏡筒１全体の沈胴度が大きくなって携帯時のカメラの小型化に貢献できる。
【００２９】
しかしながら、上記のように絞り・シャッタ用カム溝３７を第３群、第４群のレンズ用カム溝１３、１４と平行して、左半面の１８０°領域に配置したため、第３群、第４群のレンズ用カム溝１３、１４の各移動位置と絞り・シャッタ用カム溝３７の各移動位置が必然的に同一回転角度上に配置されることになり、このため絞り・シャッタ固定枠の移動用軸受を、第３群、第４群レンズ用と同一の吊軸つまり第３群・第４群レンズ主吊軸６に係合させる必要がある。さもないと、つまり吊軸を別に設けて軸受とカムフォロアとをカム溝の回転方向に離れた位置に配置したのでは、移動時に軸受とカムフォロアとの間に捻りが加わって絞り・シャッタ３４の位置に狂いを生じる虞がある。
【００３０】
ところが、絞り・シャッタ固定枠の移動用軸受を、第３群・第４群レンズ主吊軸６に係合させるとなると、限られた主吊軸の長さの中で、第３群、第４群レンズ２５、２９の第３群レンズ、第４群レンズ保持部材２６、３１の軸受２７、３２と、絞り・シャッタ固定枠の移動用軸受との３つの軸受が主吊軸に外嵌することになり、各軸受の主吊軸との係合長を十分にとることが出来なくなる。
【００３１】
そのような構成は、技術的にも困難を伴うだけでなく、係合長が十分でないと第３群、第４群レンズ２５、２９や絞り・シャッタ３４の位置決めが不安定となり、光軸性能の確保が困難で、正しい映像を撮影できなくなる虞が多分にある。
そこで、絞り・シャッタ３４用の主吊軸を独立に設けることを考えると、そのカムフォロアと軸受間に無用の応力を発生させないために主吊軸をカム筒３の内周面に極力近接して配置しなければならないから、必然的にその主吊軸は、第３群・第４群レンズ主吊軸６に対して、カム筒の回転方向へ異なる位置に配置されることになる。
【００３２】
図１３は、そのように絞り・シャッタ３４用の主吊軸を第３群・第４群レンズ主吊軸６に対して、カム筒の回転方向へ異なる位置に独立に設けた場合のカム筒の内周面の構成を示す展開図である。
絞り・シャッタ３４用の主吊軸つまりその軸受上のカムフォロアを、第３群・第４群レンズ主吊軸６つまり第３群、第４群レンズ２５、２９の軸受２７、３２上のカムフォロア２８、３３に対して、カム筒の回転方向へ異なる位置に配置すると、絞り・シャッタ３４用の主吊軸が第３群・第４群レンズ主吊軸６からカム筒の回転方向へずれた分だけ、同図に示すように、絞り・シャッタ３４用のカムフォロアと係合する絞り・シャッタ用カム溝３８の配置範囲は、第３群、第４群レンズ用カム溝１３、１４の配置位置からずれることになる。同図に示す例では、カム筒３の右半面の１８０°領域の左側上方に空き領域があることに着目し、カムフォロア挿入溝３６と交差する点は無視して、絞り・シャッタ用カム溝３８を右半面の１８０°領域側にずらして配置している。
【００３３】
このように絞り・シャッタ用カム溝３８がカムフォロア挿入溝３６と交差することにより発生する不具合を解消するために、絞り・シャッタ用カム溝３８は二本平行して形成されており、これに対応して、特には図示しないが、絞り・シャッタ固定枠の軸受上にはカムフォロアが２個配置されている。
【００３４】
そして、それら２個のカムフォロアが位置規制される各２つの沈胴位置３８−１、広角撮影位置３８−２、及び望遠撮影位置３８−３間のずれ量は、少なくともカムフォロア挿入溝３６の幅よりも大きくずれて設定されている。
これにより、２個のカムフォロアのいずれか一方のカムフォロアがカムフォロア挿入溝３６との交差点にあるときは必ず他方のカムフォロアがその絞り・シャッタ用カム溝３８の交差点ではない正規の溝内にあり、したがって、２個のカムフォロアは常に正しく絞り・シャッタ用カム溝３８に従って移動駆動され、これにより、絞り・シャッタが固定位置と沈胴位置とに正しく移動を行うことができる。また、主吊軸が２つ個別に配設されているので、各軸受の主吊軸との係合長を十分にとることが出来る。
【００３５】
しかしながら、上記の構成は、確かに絞り・シャッタ用カム溝３８がカムフォロア挿入溝３６と交差することにより発生する不具合を解消してはいるが、同一機能のカム溝を二本平行して形成する必要があることと、同一機能のカムフォロアを２個配設することが、製作精度上で問題となる。レンズ装置は全体が微細な構成であるから、カム溝の配置や精度に少しでも狂いが生じると、２個のカムフォロアが競合してカム筒３の回転を阻害する虞がある。
【００３６】
そこで、本出願人は、固定枠である絞り・シャッター枠を、１群レンズで沈胴位置から撮影位置に引き出し、かつ２群レンズで撮影位置から沈胴位置へ押し戻して、他の移動するレンズ群の移動を利用して絞り・シャッター枠を移動させるようにして、新たな移動のための複雑な構成の追加が不要なレンズ装置を提案している。（例えば、特許文献１参照。）
【特許文献１】特開１１−２１８６６５号公報
【発明の開示】
【発明が解決しようとする課題】
【００３７】
しかしながら、特許文献１の技術には、まだ改良の余地が残されていた。
本発明の課題は、沈胴型のレンズ装置において撮影時に移動不要な固定枠を沈胴時にレンズ長短縮方向に移動させて沈胴時の更なるレンズ長短縮を実現し且つレンズ装置の大型化や複雑化を招くことのないレンズ装置及びそのレンズ装置を搭載したカメラを提供することである。
【課題を解決するための手段】
【００３８】
先ず、第１の発明のレンズ装置は、撮影光学系に含まれる第１及び第２の光学部材と、使用される第１及び第２領域に渡って上記第１及び第２の光学部材の光軸方向位置を上記第１及び第２の光学部材のカム係合部を介して規定するカム溝を有するカム部材と、上記第２の光学部材を上記第１の光学部材に付勢する付勢部材と、を備え、上記第１の光学部材は、上記第１及び第２領域で上記カム溝により上記カム係合部を介して位置を規定され、上記第２の光学部材は、上記第１領域では前記付勢部材の付勢力によって上記第２の光学部材により位置に規定され、上記第２領域では上記カム溝により位置を規定されるべく上記カム係合部が上記カム溝に係合するように構成される。
【００３９】
そして、例えば、上記カム溝は、上記第１の光学部材用カム溝と上記第２の光学部材用カム溝とを備え、上記第２の光学部材用カム溝は、上記第２領域において上記第２の光学部材のカム係合部が係合する係合部と、該係合部に連続して形成され上記第１領域の少なくとも一部において上記第２の光学部材のカム係合部が係合を伴わずに往復する遊通部と、から成って構成される。この場合、上記遊通部は、例えば、他のカム溝の一部と交差するようにカム部材の表面に形成される。
【００４０】
また、このレンズ装置において、例えば、上記第１領域は少なくとも非撮影領域の一部であり、上記第２領域は撮影領域である。この場合、上記第２の光学部材は、例えば上記撮影領域では、他の光学部材の移動量に拘わり無く一定位置に規定されるように構成される。また、上記第２の光学部材は、例えば、絞り又はシャッター部材である。また、上記第２の光学部材は、例えば、上記第１の光学部材と他の光学部材の間に配置され、上記沈胴領域から上記撮影領域への移動において、上記第１、第２の光学部材  及び他の光学部材いずれもが、当該撮影レンズ装置に対する被写体方向に移動するように構成される。また、上記第２の光学部材は、例えば、上記第２領域の少なくとも一部では上記付勢部材による付勢から解除されるように構成される。そして、上記付勢部材は、例えば、上記第２の光学部材の光軸方向への移動を案内する案内部材に沿って備えられる。
【００４１】
また、このレンズ装置は、例えば、撮影用の撮像素子を備えて構成される。
次に、第２の発明のレンズ装置は、光学部材の光軸方向位置を規定するカム溝を有するカム部材と、上記カム部材の上記カム溝によって非撮影範囲と撮影範囲に渡って位置を規定される第１の光学部材と、上記非撮影範囲では上記第１の光学部材に当接し上記第１の光学部材の位置に応じて位置が規定され、上記撮影範囲では上記カム部材のカム溝に応じて位置が規制される第２の光学部材と、該第２の光学部材を上記第１の光学部材に当接させるよう付勢する付勢部材と、を備えて構成される。
【００４２】
そして、第３の発明のカメラは、上記第１又は第２の発明のレンズ装置を、撮影用のレンズ装置として備えて構成される。
【発明の効果】
【００４３】
本発明よれば、第２の光学部材移動用の専用の構成が不要になり、装置の小型化に貢献できる。また、位置規制はカム溝によって行われるので位置規制中の付勢が不要となって付勢部材の長さを短縮することができ、この点からも装置の小型化に貢献できる。
【発明を実施するための最良の形態】
【００４４】
以下、本発明の実施の形態を図面を参照しながら説明する。尚、以下の説明において上記第１の光学部材は例えば２群ユニット等からなり、上記第２の光学部材は例えば絞り・シャッタユニット７１等からなり、上記付勢部材は例えば押し螺旋バネ７６等からなり、上記案内部材は例えば絞り・シャッタ吊軸７０等からなり、そして上記他の光学部材は例えば1群ユニット、３群ユニット、４群ユニット等からなる。
【００４５】
また、以下に説明する本発明のレンズ装置には、それぞれ独立に支持枠に支持された４組のレンズ群が組み込まれているが、以下の説明では、それらのレンズ群、支持枠、軸受、吊軸、カムフォロア等を、各組ごとに纏めて、１群何々、２群何々、３群何々、及び４群何々と呼称して記載している。
【実施例１】
【００４６】
図１は、実施例１としてのカメラを示す前面方向から見た斜視図である。同図に示すように、カメラ４０は、図の左側に電池室を兼ねた握り部４１があり、その右上にセルフタイマーランプ４２が配置され、前面中央よりやや右寄りに沈胴式のレンズ装置の１群筒枠４３（図１０(a),(b) に示した１・２群ユニット支持筒４に対応する）が撮影位置に突出しており、その最前面に１群レンズ４４が配置されているのが見えている。
【００４７】
カメラ４０の上面には、図の左端部手前にズームレバー４５と、そのズームレバー４５の回転中心部に配置されたシャッタボタン４６が配設され、シャッタボタン４６の後方にモードダイヤル４７が配置され、上面中央には突没自在なフラッシュ４８が配設されている。
【００４８】
また、図の右側面には、上部にストラップ取付部４９が配設され、その下方ほぼ全面に各種入出力端子を覆う保護カバー５１が配設されている。
カメラ４０の背面には、ビューファインダ５２の他に、特には図示しないが、視度調節ダイヤル、セルフタイマー兼消去ボタン、マクロ／スポット兼プリント予約ボタン、フラッシュ飛出ボタン、フラッシュボタン、電源スイッチ、液晶モニタ、液晶モニタ表示切替ボタン、ＯＫ／メニューボタン等が配設されている。
【実施例２】
【００４９】
図２は、実施例２としての、上記のカメラ４０に組み込まれるレンズ装置の中のカム筒のカム溝の構成を示す展開図である。尚、同図は、手前側の面がカム筒の内周面であり、図面向う側の面が外周面である。そして、内周面に形成されているカム溝を実線で示し、外周面に形成されているカム溝を破線で示している。また、同図には、図１１との比較のために展開の破断位置を図１１の場合と同様にＡ−Ａ´で示している。
【００５０】
同図に示すように、本例のカム筒５３は、外周面に１群ユニット用カム溝５４を、１２０°の回転角ごとに形成されている。そして、それぞれ同一位置に沈胴位置５４−１、広角撮影位置５４−２、望遠撮影位置５４−３があり、それぞれ１群カムフォロア挿入溝５４−４を備えている。
【００５１】
これに対して、カム筒５３の内周面には、図１２又は図１３に示したとほぼ同様の形状構成で、右半面に２群ユニット用カム溝５５が形成され、左半面に３群ユニット用カム溝５６と４群ユニット用カム溝５７が形成されている。
２群ユニット用カム溝５５は、図１２又は図１３の場合と同様に、沈胴位置５５−１、広角撮影位置５５−２、望遠撮影位置５５−３が形成され、２群カムフォロア挿入溝５５−４を備えている。
【００５２】
また、３群ユニット用カム溝５６及び４群ユニット用カム溝５７も同様に、沈胴位置５６−１、５７−１、広角撮影位置５６−２、５７−２、望遠撮影位置５６−３、５７−３が形成され、３・４群カムフォロア挿入溝５８を備えている。
そして、本例では、図１３の場合と同様に、絞り・シャッタ用の主吊軸を独立に設け、この主吊軸に外嵌する軸受の絞り・シャッタカムフォロアが係合する絞り・シャッタカム溝５９を、カム筒５３の右半面の１８０°領域左側上方にある空き領域方向にずらして設けている。
【００５３】
同図に示すように、絞り・シャッタカム溝５９は、２群カムフォロア挿入溝５５−４と交差するにも拘わらず、一本溝の構成となっている。この絞り・シャッタカム溝５９は、上記３群ユニット用カム溝５６及び４群ユニット用カム溝５７とは右半面方向にずれた位置に、沈胴位置５９−１、広角撮影位置５９−２、望遠撮影位置５９−３が形成され、絞り・シャッタカムフォロア挿入溝５９−４を備えている。
【００５４】
ここで、本例の特徴として、絞り・シャッタカム溝５９は、沈胴位置５９−１から２群カムフォロア挿入溝５５−４と交差して更に広角撮影位置５９−２方向へ通過する直後の所まで、幅が広くなっており、絞り・シャッタカム溝５９による絞り・シャッタカムフォロアに対する規制が解除されている。すなわち、この部分は、カム係合部としての絞り・シャッタカムフォロアが絞り・シャッタカム溝５９との係合を伴わずに単に往復するだけの遊通部５９−５となっている。シャッタカム溝５９のうち、遊通部５９−５を第１領域、幅の狭いカム係合部として機能する溝を第２領域と呼ぶ。
【００５５】
レンズ装置の移動領域は、件ら４０の筐体内へレンズ装置を繰り込み又は繰り出しする過程の領域であって各沈胴位置から各広角撮影位置直前までの領域である沈胴領域と、各広角撮影位置から望遠撮影位置の間の領域である撮影領域に分けられる。なお、沈胴領域は非撮影領域とも呼べる。また、遊通部５９−５である第１領域は、必ずしも沈胴領域の全部を占める場合だけでなく、沈胴領域の一部分だけであってもよい。
【実施例３】
【００５６】
図３は、実施例３としての、図１のカメラ４０に組み込まれるレンズ装置の断面図である。尚、この断面図は、３群カムフォロアと４群カムフォロアが、それぞれカム筒５３の図２に示した３群ユニット用カム溝５６と４群ユニット用カム溝５７の沈胴位置５６−１と５７−１にあるときの、その沈胴位置５６−１及び５７−１からレンズ装置の中心軸を通る断面図である。
【００５７】
図３に示すように、レンズ装置６０は、カメラ本体に固定された固定枠６１を備え、この固定枠６１の前部に、固定枠６１に固定配置されている不図示のモータ（図１０(a) のモータ８及び駆動ギア７参照）により回転駆動される図２に展開して示したカム筒５３が配置され、更に、このカム筒５３に外嵌して、図１に示した１群筒枠４３が配置されている。
【００５８】
１群筒枠４３の前部には、１群レンズ４４を固定支持する１群枠６２が固定されて配置され、１群筒枠４３の内周面後端部には１群カムフォロア６３が上向きに突設されている。この１群カムフォロア６３が図２に示したカム筒５３の外周面の１群ユニット用カム溝５４に係合する。
【００５９】
１群筒枠４３の前方下部には、カム筒５３の前端を外から内部に回り込むように、１群枠６２の下方に吊軸固定部６４が設けられており、この吊軸固定部６４に、レンズ装置６０の中心軸に平行に後方（図の右方向）に延在する２群主吊軸６５が固定されて支持されている。上記の１群筒枠４３、１群レンズ４４、１群枠６２、及び１群カムフォロア６３により、１群ユニットが構成されている。
【００６０】
そして、この１群ユニットの上記２群主吊軸６５に、２群レンズ６６を固定支持する２群枠６７の下端部に一体に形成されている２群軸受部６８が摺動自在に外嵌している。２群枠６７の下部最後端部には２群カムフォロア６９が下向きに突設されている。この２群カムフォロア６９が図２に示したカム筒５３の内周面の２群ユニット用カム溝５５に係合する。上記の２群レンズ６６、２群枠６７、２群軸受部６８、及び２群カムフォロア６９により、２群ユニットが構成されている。
【００６１】
ここで、上記１群ユニット及び２群ユニットの後方に配置される絞り・シャッタユニット、３群ユニット、及び４群ユニットについて説明するに当たって、図３とは切り口を変えたレンズ装置６０の半断面図と、上記３つのユニットの斜視図及び正面図とを以下に示す。
【００６２】
図４は、図３とは切り口を変えたレンズ装置６０の半断面図である。この図４は、絞り・シャッタユニットの絞り・シャッタカムフォロアが、カム筒５３の図２に示した絞り・シャッタカム溝５９の沈胴位置５９−１にあるときの、その沈胴位置５９−１からレンズ装置の中心軸を通る断面図を示している。図４に示すように２群枠６７には、沈胴位置に移動するとき絞り・シャッタユニット７１の前面を押圧する後方突設部６７−１が形成されているが、この機能については後述する。
【００６３】
図５は、カム筒５３内から上記の絞り・シャッタユニット、３群ユニット、及び４群ユニットを引き出して示す分解斜視図である。
図６は、絞り・シャッタユニットの部分を正面から見た図である。
図７は、３群ユニットの部分を正面から見た図である。
【００６４】
図８は、４群ユニットの部分を正面から見た図である。
これらの図４〜図８及び図３を用いて、絞り・シャッタユニット、３群ユニット、及び４群ユニットについて以下に説明する。
先ず、図４示すように、レンズ装置６０の固定枠６１の上部には絞り・シャッタ吊軸固定部６１−１が設けられており、この絞り・シャッタ吊軸固定部６１−１に、レンズ装置６０の中心軸に平行に前方（図の左方向）に延在する絞り・シャッタ吊軸７０が固定して配置されている。
【００６５】
図５及び図６に示すように、絞り・シャッタユニット７１は、中央に絞り開口７２が形成され、上部には上記絞り・シャッタ吊軸７０に外嵌して配置される絞り・シャッタ主軸受７３が設けられ、下部に絞り・シャッタ副軸受７４が形成されている。絞り・シャッタ主軸受７３の上部には絞り・シャッタカムフォロア７５が上に向けて突設されている。この絞り・シャッタカムフォロア７５が図２に示したカム筒５３の内周面の絞り・シャッタカム溝５９に係合する。
【００６６】
また、上記の絞り・シャッタ主軸受７３には後方に延設された段差部７３−１が形成されている。この段差部７３−１と絞り・シャッタ吊軸７０とに外嵌して、押し付勢力を有する押し螺旋バネ７６が、図４に示すように、絞り・シャッタ主軸受７３と絞り・シャッタ吊軸固定部６１−１との間に介装されている。
【００６７】
また、絞り・シャッタユニット７１の後面にはシャッター羽根７７が配設され、シャッターモータ７８及び絞りモータ７９が固定して配設されている。
再び図３に戻り、固定枠６１の上部には、前述した絞り・シャッタ吊軸固定部６１−１とは異なる位置（断面図の切り口が異なる分だけずれた位置）に、３・４群吊軸固定部６１−２が設けられ、下部には副吊軸固定部６１−３が設けられている。そして、３・４群吊軸固定部６１−２には、レンズ装置６０の中心軸に平行に前方（図の左方向）に延在する３・４群主吊軸８１が固定して支持され、副吊軸固定部６１−３には、同じくレンズ装置６０の中心軸に平行に前方（図の左方向）に延在する絞り・シャッタ・３・４群副吊軸８２が固定して支持されている。この絞り・シャッタ・３・４群副吊軸８２の先端近傍に前述した絞り・シャッタ副軸受７４が図６に示すように係合して、絞り・シャッタユニット７１の回転が禁止されている。
【００６８】
上記の３・４群主吊軸８１には、３群レンズ８３を固定支持する３群枠８４の上端部に一体に形成されている３群軸受部Ａ８５−１と３群軸受部Ｂ８５−２が摺動自在に外嵌している。
上記３群軸受部Ａ８５−１の上部には、３群カムフォロア９１が上向きに突設されている。この３群カムフォロア９１が図２に示したカム筒５３の内周面の３群ユニット用カム溝５６に係合する。上記の３群レンズ８３、３群枠８４、３群軸受部Ａ８５−１、３群軸受部Ｂ８５−２、及び３群カムフォロア９１により、３群ユニットが構成されている。
【００６９】
上記３群枠８４の下部には、３群副軸受８４−１が形成されており、この３群副軸受８４−１が、図７に示すように絞り・シャッタ・３・４群副吊軸８２に係合していることにより、３群ユニットの回転が禁止されている。
また、更に、４群レンズ８６を固定支持する４群第２枠８７と間接的に係合する４群第１枠８８に一体に形成されている４群軸受部Ａ８９−１と４群軸受部Ｂ８９−２が、上記の３群軸受部Ａ８５−１と３群軸受部Ｂ８５−２と交錯して３・４群主吊軸８１に摺動自在に外嵌している。
【００７０】
上記４群軸受部Ａ８９−１の上部には、４群カムフォロア９２が上向きに突設されている。この４群カムフォロア９２が図２に示したカム筒５３の内周面の４群ユニット用カム溝５７に係合する。
上記の４群第２枠８７の上部には吊軸固定部８７−１が形成されており、この吊軸固定部８７−１には、レンズ装置６０の中心軸に平行に前方に延在する４群第２吊軸９３が固定して支持されている。
【００７１】
この４群第２吊軸９３は、３群枠８４の上部に上記の３群軸受部Ａ８５−１及び３群軸受部Ｂ８５−２と一体に形成されているスリーブ９４に挿通され、スリーブ９４より延び出す先端部にはフランジ９５が固設され、このフランジ９５とスリーブ９４の前端部との間に、押し付勢螺旋ばね９６が４群第２吊軸９３に外嵌して介装されている。この押し付勢螺旋ばね９６の押し付勢力により、フランジ９５を介して４群第２吊軸９３が常にスリーブ９４よりも前方方向に付勢され、これにより、４群第２枠８７は、常に３群枠８４の方向に引き寄せられている。
【００７２】
また、４群第２枠８７の下部には２枠副軸受８７−１が形成され、この２枠副軸受８７−１が、図８に示すように絞り・シャッタ・３・４群副吊軸８２に係合していることにより、４群第２枠８７の回転が禁止されている。また、４群第１枠８８は、図８に示すように、突設部８８−１が、回転止め溝９０に嵌入して回転を禁止されている。
【００７３】
そして、その４群第２枠８７の上部の遊び孔を有する前面に、４群第１枠８８に形成されている長孔９７に摺動自在に係合するナット９８が当接して係合する。ナット９８のネジ孔には、４群第１枠８８に固設されている４群モータ９９の駆動スクリュー１０１が螺合して、その先端は４群第２枠８７の上記遊び孔に挿通している。４群モータ９９が順方向に回転するとナット９８が押出し方向に移動し、４群第２枠８７が押し付勢螺旋ばね９６の付勢力に抗して後方に後退する。他方、４群モータ９９が逆方向に回転するとナット９８が引き戻し方向に移動し、４群第２枠８７が押し付勢螺旋ばね９６の付勢力により前方の進出する。すなわち、４群第２枠８７は、４群カムフォロア９２により基準位置を設定された後、ナット９８により微調整移動されて焦点合わせが行われる。
【００７４】
上記４群レンズ８６、４群第２枠８７、４群第１枠８８、４群軸受部Ａ８９−１、４群軸受部Ｂ８９−２、４群カムフォロア９２、４群第２吊軸９３、フランジ９５、押し付勢螺旋ばね９６、長孔９７、ナット９８、４群モータ９９、及び駆動スクリュー１０１により４群ユニットが構成されている。
【００７５】
この４群ユニットの後方に、固定枠６１の中央の光軸Ｏ１の集束位置に保持されて、光学板１０２が配設され、その後方にＣＣＤ１０３が配設されている。光学板１０２は、ローパスフィルタと赤外線カットフィルタとから成る。
図９(a),(b),(c) は、上記の構成におけるレンズ装置６０の動作を示す図である。尚、同図(a) は図４を再掲したものである。図９(a) に示す沈胴位置では、絞り・シャッタユニット７１の絞り・シャッタカムフォロア７５は、カム筒５３の図２に示した絞り・シャッタカム溝５９の遊通部５９−５に在る。
【００７６】
図９(a) の沈胴位置から同図(b) に示す広角撮影位置に位置すべくカム筒５３が回転して各レンズ群が前方に移動を開始すると、絞り・シャッタユニット７１は、２群ユニットの前方移動に伴う２群枠６７の後方突設部６７−１からの押圧を解除されることに応じて、押し螺旋バネ７６の押し付勢力により前方に移動し、押し螺旋バネ７６が延びきる前後で、絞り・シャッタカムフォロア７５が、図２に示した絞り・シャッタカム溝５９の遊通部５９−５を抜け出して直線部に嵌入することにより、図９(b) の広角撮影状態のときには、図２に示した広角撮影位置５９−２により規制され、図９(c) の望遠撮影状態のときには、図２に示した望遠撮影位置５９−３により規制されて、常に固定位置に位置固定される。
【００７７】
図９(b) の広角撮影状態、又は同図(c) の望遠撮影状態から図９(a) の沈胴状態に戻るときは、絞り・シャッタカムフォロア７５が、図２に示す２群カムフォロア挿入溝５５−４を横切る直前で、２群枠６７の後方突設部６７−１が絞り・シャッタユニット７１の前部に当接し、これを更に後方に押圧しながら２群枠６７が後方移動することにより、絞り・シャッタユニット７１は、絞り・シャッタ主軸受７３が押し螺旋バネ７６を圧縮しながら絞り・シャッタカムフォロア７５が、図２に示す絞り・シャッタカム溝５９の遊通部５９−５に遊通する。
【００７８】
このように、絞り・シャッタカムフォロア７５は、遊通部５９−５に在って２群カムフォロア挿入溝５５−４を横切るときは、遊通部５９−５からの規制を受けることなく、押し螺旋バネ７６により押し出されるか、または２群枠６７の後方突設部６７−１により押し込まれることによって、つまり２群カムフォロア挿入溝５５−４との交差部を他部材の動力によって通過するので、絞り・シャッタカムフォロア７５がカム溝で位置の制御を受けながら２群カムフォロア挿入溝５５−４との交差部を横切るときのような不具合は発生しない。
【図面の簡単な説明】
【００７９】
【図１】実施例１としてのカメラを示す前面方向から見た斜視図である。
【図２】実施例２としての、カメラに組み込まれるレンズ装置の中のカム筒のカム溝の構成を示す展開図である。
【図３】実施例３としての、カメラに組み込まれるレンズ装置の断面図である。
【図４】切り口を変えて示すレンズ装置の半断面図である。
【図５】カム筒内から絞り・シャッタユニット、３群ユニット、及び４群ユニットを引き出して示す分解斜視図である。
【図６】絞り・シャッタユニットの部分を正面から見た図である。
【図７】３群ユニットの部分を正面から見た図である。
【図８】４群ユニットの部分を正面から見た図である。
【図９】(a),(b),(c) はレンズ装置の動作を示す図である。
【図１０】(a) は従来の絞りとシャッター部材を沈胴時も固定したままの構成のズーム撮影レンズ装置の撮影時の状態を示す断面図、(b) はその沈胴時の状態を示す断面図、(c) はそのカム筒を示す斜視図である。
【図１１】従来のカム筒の円周側面を中心軸に平行な直線に沿って切断して内周面を示す展開図である。
【図１２】従来の絞り・シャッタ固定枠を沈胴時に移動させるためのカム筒内周面のカム溝の構成例を示す図である。
【図１３】従来の絞り・シャッタ用の主吊軸を第３群・第４群レンズ主吊軸に対してカム筒の回転方向へ異なる位置に独立に設けた場合のカム筒の内周面の構成を示す展開図である。
【符号の説明】
【００８０】
１      鏡筒
２      固定枠
３      カム筒
４      第１群・第２群レンズ支持筒
５      ＣＣＤ(charge coupled device）
６      第３群・第４群レンズ主吊軸
７      駆動ギア
８      モータ
１１    第１群レンズ用カム溝
１２    第２群レンズ用カム溝
１２−１  沈胴位置
１２−２  広角撮影位置
１２−３  望遠撮影位置
１３    第３群レンズ用カム溝
１３−１  沈胴位置
１３−２  広角撮影位置
１３−３  望遠撮影位置
１４    第４群レンズ用カム溝
１４−１  沈胴位置
１４−２  広角撮影位置
１４−３  望遠撮影位置
１５    ギア
１６    第１群レンズ支持部
１７    第１群レンズ
１８    第２群レンズ主吊軸
１９    カムフォロア
２１    第２群レンズ
２２    第２群レンズ保持部材
２３    軸受部
２４    カムフォロア
２５    第３群レンズ
２６    第３群レンズ保持部材
２７    軸受
２８    カムフォロア
２９    第４群レンズ
３１    第４群レンズ保持部材
３２    軸受
３３    カムフォロア
３４    絞り・シャッタ
ａ、ｂ、ｃ  空間部
３５、３６  カムフォロア挿入溝
３７、３８  絞り・シャッタ用カム溝
３７−１、３８−１  沈胴位置
３７−２、３８−２  広角撮影位置
３７−３、３８−３  望遠撮影位置
４０    カメラ
４１    握り部
４２    セルフタイマーランプ
４３    １群筒枠
４４    １群レンズ
４５    ズームレバー
４６    シャッタボタン
４７    モードダイヤル
４８    フラッシュ
４９    ストラップ取付部
５１    保護カバー
５２    ビューファインダ
５３    カム筒
５４    １群ユニット用カム溝
５４−１  沈胴位置
５４−２  広角撮影位置
５４−３  望遠撮影位置
５４−４  １群カムフォロア挿入溝
５５    ２群ユニット用カム溝
５５−１  沈胴位置
５５−２  広角撮影位置
５５−３  望遠撮影位置
５５−４  ２群カムフォロア挿入溝
５６    ３群ユニット用カム溝
５６−１  沈胴位置
５６−２  広角撮影位置
５６−３  望遠撮影位置
５７    ４群ユニット用カム溝
５７−１  沈胴位置
５７−２  広角撮影位置
５７−３  望遠撮影位置
５８    ３・４群カムフォロア挿入溝
５９    絞り・シャッタカム溝
５９−１  沈胴位置
５９−２  広角撮影位置
５９−３  望遠撮影位置
５９−４  絞り・シャッタカムフォロア挿入溝
５９−５  遊通部
６０    レンズ装置
６１    固定枠
６１−１  絞り・シャッタ吊軸固定部
６１−２  ３・４群吊軸固定部
６１−３  副吊軸固定部
６２    １群枠
６３    １群カムフォロア
６４    吊軸固定部
６５    ２群主吊軸
６６    ２群レンズ
６７    ２群枠
６７−１  後方突設部
６８    ２群軸受部
６９    ２群カムフォロア
７０    絞り・シャッタ吊軸
７１    絞り・シャッタユニット
７２    絞り開口
７３    絞り・シャッタ主軸受
７３−１  段差部
７４    絞り・シャッタ副軸受
７５    絞り・シャッタカムフォロア
７６    押し螺旋バネ
７７    シャッター羽根
７８    シャッターモータ
７９    絞りモータ
８１    ３・４群主吊軸
８２    絞り・シャッタ・３・４群副吊軸
８３    ３群レンズ
８４    ３群枠
８５−１  ３群軸受部Ａ
８５−２  ３群軸受部Ｂ
８６    ４群レンズ
８７    ４群第２枠
８８    ４群第１枠
８９−１  ４群軸受部Ａ
８９−２  ４群軸受部Ｂ
９０    回転止め溝
９１    ３群カムフォロア
９２    ４群カムフォロア
９３    ４群第２吊軸
９４    スリーブ
９５    フランジ
９６    押し付勢螺旋ばね
９７    長孔
９８    ナット
９９    ４群モータ
１０１  駆動スクリュー
１０２  光学板
１０３  ＣＣＤ
【図１】
2005301021.tif 000003
【図２】
2005301021.tif 000004
【図３】
2005301021.tif 000005
【図４】
2005301021.tif 000006
【図５】
2005301021.tif 000007
【図６】
2005301021.tif 000008
【図７】
2005301021.tif 000009
【図８】
2005301021.tif 000010
【図９】
2005301021.tif 000011
【図１０】
2005301021.tif 000012
【図１１】
2005301021.tif 000013
【図１２】
2005301021.tif 000014
【図１３】
2005301021.tif 000015